(57)【要約】【課題】吹出し空気の混合および分離を切り替える切替手段を切り替え、また補助加熱手段の通電を停止して、冷風感を得る除湿装置を提供する。【解決手段】圧縮機１０２、放熱器１０３などを有するヒートポンプ１１８と、回転する吸放湿手段１１９と、供給空気を加熱する補助加熱手段７と、除湿対象空気１１６を室内空気より低い温度で室内に吹出す第１吹出し口３と、室内空気を放熱器１０３に供給し室内に吹出す第２吹出し口４と、吹出し空気の混合および分離を第２吹出し口４の開放、閉鎖を段階的に切り替える切替え手段５と、第２吹出し口４を閉鎖したときに吹出し空気を吹出す第３吹出し口６を備えた除湿装置であって、第２送風手段２と第１送風手段１の吹出し空気の混合と分離を切替え手段５で行い、切替え手段５の切替状況を検出する位置検出手段８の出力に応じて補助加熱手段７の動作条件を変更する。【選択図】図２
2006192342.tif 000002
【特許請求の範囲】
【請求項１】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）
を有する吸放湿手段（１１９）と、供給空気を加熱する補助加熱手段（７）と、除湿対象空気（１１６）を前記放熱器（１０３）、前記放湿部（１２１）、前記吸熱器（１０５）、前記吸湿部（１２０）の順に供給し室内空気より低い温度で室内に吹出す第１吹出し口（３）を備えた第１送風手段（１）と、室内空気を前記放熱器に供給し室内に吹出す第２吹出し口（４）を備えた第２送風手段（２）と、前記第１送風手段の吹出し空気と前記第２送風手段（２）の吹出し空気の混合および分離を前記第２吹出し口（４）の開放、閉鎖を段階的に切り替える切替え手段（５）と、前記切替え手段（５）を切り替え、前記第２吹出し口（４）を閉鎖したときに前記第２送風手段（２）の吹出し空気を吹出す第３吹出し口（６）を備えた除湿装置であって、前記第２送風手段（２）の吹出し空気と前記第１送風手段（１）の吹出し空気の混合と、分離を前記切替え手段（５）で行い、前記切替え手段（５）の切替状況を検出する位置検出手段（８）を備え、前記位置検出手段（８）の出力に応じて前記補助加熱手段（７）の動作条件を変更することを特徴とする除湿装置。
【請求項２】
切替え手段（５）が第２吹出し口（４）を閉塞したことを位置検出手段（８）が検出したとき、補助加熱手段（７）の出力を減少または停止することを特徴とする請求項１記載の除湿装置。
【請求項３】
切替え手段（５）の切替状況を検出する位置検出手段（８）を備え、前記位置検出手段（８）の動作状況を表示することを特徴とする請求項１記載の除湿装置。
【請求項４】
位置検出手段（８）の出力によりＬＥＤ（９）を点灯することを特徴とする請求項１〜３いずれかに記載の除湿装置。
【請求項５】
位置検出手段（８）の出力によりＬＥＤ（９）を点滅することを特徴とする請求項１〜３いずれかに記載の除湿装置。
【請求項６】
切替え手段（５）が第２吹出し口（４）を完全に閉塞したことを位置検出手段（８）で検出することを特徴とする請求項１〜５いずれかに記載の除湿装置。
【請求項７】
切替え手段（５）が第２吹出し口（４）を完全に閉塞したことを位置検出手段（８）で検出したとき、冷風感を出すために、点灯または点滅するＬＥＤ（９）を青色または緑色とすることを特徴とする請求項４〜６いずれかに記載の除湿装置。
【請求項８】
切替え手段（５）が第２吹出し口（４）を閉塞していないことを位置検出手段（８）で検出したとき、温風感を出すために、点灯または点滅するＬＥＤ（１０）を赤色または黄色とすることを特徴とする請求項４〜７いずれかに記載の除湿装置。
【発明の詳細な説明】
【技術分野】
【０００１】
本発明は、室内空気を除湿する除湿機に関するものである。
【背景技術】
【０００２】
従来のヒートポンプと吸放湿手段を備えた除湿装置としては、放熱器、吸放湿手段の放湿部、吸熱器の順に空気を循環させるものがある（例えば、特許文献１参照）。
【０００３】
以下、その除湿装置について図８を参照しながら説明する。
【０００４】
図８に示すように、除湿装置の本体１０１内には、圧縮機１０２、放熱器１０３、膨張機構１０４、吸熱器１０５を配管接続した冷媒回路１０６と、吸着剤１０７が担持されたハニカムローター１０８が設けられており、循環ファン１０９によって送風される循環空気１１０が、放熱器１０３、ハニカムローター１０８の一部、吸熱器１０５の順に循環するように循環経路１１１が形成されている。また、ハニカムローター１０８の他の部分は、吸込口１１２および吹出口１１３を開口した供給経路１１４内に配置されており、供給ファン１１５によって除湿対象空気１１６が供給されている。また、冷媒回路１０６内には冷媒１１７が充填されており、この冷媒１１７が、圧縮機１０２で圧縮されることによって、放熱器１０３、膨張機構１０４、吸熱器１０５の順に冷媒回路１０６内を循環し、放熱器１０３において循環空気１１０に放熱するとともに、吸熱器１０５において循環空気１１０から吸熱することによってヒートポンプ１１８を動作させている。ハニカムローター１０８は、図示しない駆動手段によって回転しており、この回転に伴いハニカムローター１０８に担持された吸着剤１０７が、循環経路１１１内における循環空気１１０との接触と供給経路１１４内における除湿対象空気１１６との接触を繰り返している。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、循環経路１１１内で吸着剤１０７と接触する循環空気１１０は、放熱器１０３において冷媒１１７の放熱により加熱されて除湿対象空気１１６よりも低い相対湿度の空気となっているので、この相対湿度の差によって、吸着剤１０７が、除湿対象空気１１６中の水分を吸着し、吸着した水分を循環空気１１０中に脱着するように作用する。この吸脱着作用によって吸放湿手段１１９としての動作がなされることとなり、ハニカムローター１０８の供給経路１１４内に位置する部分が除湿対象空気１１６から吸湿する吸湿部１２０、ハニカムローター１０８の循環経路１１１内に位置する部分が循環空気１１０へ放湿する放湿部１２１となる。吸湿部１２０において吸湿された除湿対象空気１１６は低湿の空気となって吹出口１１３から本体１０１外部に吹出し、放湿部１２１において放湿された循環空気１１０は、高湿の空気となって吸熱器１０５に供給される。吸熱器１０５に供給された高湿の循環空気１１０は、冷媒１１７の吸熱によって露点温度以下まで冷却されて空気中の水分が飽和する。この飽和した水分が凝縮してタンク１２２に滴下し、このタンク１２２に溜まった凝縮水の量が除湿装置の除湿量となるのである。
【特許文献１】特開昭６３−１４２３号公報（第２−３頁、第１図）
【発明の開示】
【発明が解決しようとする課題】
【０００５】
以上の例では、吸湿部１２０において除湿対象空気１１６から吸湿し、この吸湿した水分を、放熱器１０３で加熱した高温の循環空気１１０を放湿部１２１に供給することによって放湿させ、この放湿させた水分を含んだ高湿の循環空気１１０を吸熱器１０５において冷却して水分を飽和させるとことにより除湿するようにしている。したがって、暑い時期などに除湿をしながら冷風感を得たいというニーズに応えるには、吸熱器１０５を通過することによって温度が低下した空気を、吹出し空気から分離して室内に吹出す必要があり、循環経路１１１を形成する構造では、冷風は得られず、逆に吸湿部１２０が水分を吸着する際に吸着熱を生じるため吹出し空気の温度が上がるという課題があった。
【０００６】
また、室内の温度が低い場合、吸熱器１０５に供給された高湿の循環空気１１０の温度も低くなり冷媒１１７との温度差が縮まるので除湿量が低下するのでハニカムローター１０８と放熱器１０３の間に補助加熱手段１２３を設けることが考えられる。このとき補助加熱手段１２３によって加熱することにより、ハニカムローター１０８からの水分の脱着が増加し冷媒１１７との温度差も確保できるため除湿量は低下しないが、室温低下時に使用する補助加熱手段１２３を室温が高いときに誤って使用すると更に吹出し空気の温度が上がるという課題があった。
【０００７】
本発明は上記課題を解決するものであり、吸熱器１０５を通過して温湿度が低下した空気を分離して室内に吹出すことによって冷風感を得ることが可能で、第１送風手段（１）の吹出し空気と前記第２送風手段（２）の吹出し空気の混合および分離を切り替える切替え手段（５）を切り替えて、冷風感を得たいときに補助加熱手段１２３の通電を停止できる除湿装置を提供することを目的としている。
【課題を解決するための手段】
【０００８】
上記した目的を達成するために、本発明が講じた第１の課題解決手段は、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、供給空気を加熱する補助加熱手段（７）と、除湿対象空気（１１６）を前記放熱器（１０３）、前記放湿部（１２１）、前記吸熱器（１０５）、前記吸湿部（１２０）の順に供給し室内空気より低い温度で室内に吹出す第１吹出し口（３）を備えた第１送風手段（１）と、室内空気を前記放熱器に供給し室内に吹出す第２吹出し口（４）を備えた第２送風手段（２）と、前記第１送風手段の吹出し空気と前記第２送風手段（２）の吹出し空気の混合および分離を前記第２吹出し口（４）の開放、閉鎖を段階的に切り替える切替え手段（５）と、前記切替え手段（５）を切り替え、前記第２吹出し口（４）を閉鎖したときに前記第２送風手段（２）の吹出し空気を吹出す第３吹出し口（６）と前記切替え手段（５）の切替状況を検出する位置検出手段（８）を備えた除湿装置であって、前記位置検出手段（８）の出力に応じて前記補助加熱手段（７）の動作条件を変更する構造としたものである。
【０００９】
この手段では、切替え手段（５）によって第２吹出し口（４）を開放した場合、吸熱器（１０５）を通過して温湿度の低下した第１送風手段（１）の吹出し空気と、放熱器（１０３）を通過して温度の上昇した第２送風手段（２）の吹出し空気とが、それぞれ第１吹出し口（３）と第２吹出し口（４）から混合されて吹出すこととなる。
【００１０】
また、切替え手段（５）によって第２吹出し口（４）を閉塞した場合、放熱器（１０３）を通過して温度の上昇した第２送風手段（２）の吹出し空気を第３吹出し口（１８）へと流通させることにより、吸熱器（１０５）を通過して温湿度の低下したメイン送風ファン（１）の吹出し空気と分離されて吹出すこととなる。これにより、温風と冷風の混合あるいは分離を選択でき、切替え手段（５）の切替状況を位置検出手段（８）で検出して補助加熱手段（７）の動作条件の切替が選択でき、切替え手段（５）の操作だけで冷風、温風の分離と混合を効率良く行うことが可能となる。
【００１１】
また、本発明が講じた第２の課題解決手段は、上記第１の課題解決手段において、切替え手段（５）が第２吹出し口（４）を閉塞したことを位置検出手段（８）が検出したとき、補助加熱手段（７）の出力を減少または停止する構造としたものである。
【００１２】
この手段では、切替え手段（５）の切替状況を位置検出手段（８）で検出して補助加熱手段（７）の出力の増加、減少または停止の切替が選択でき、切替え手段（５）の操作だけで冷風、温風の分離と混合を効率良く行うことが可能となる。
【００１３】
また、本発明が講じた第３の課題解決手段は、切替え手段（５）の切替状況を検出する位置検出手段（８）を備え、前記位置検出手段（８）の動作状況を表示する構造としたものである。
【００１４】
この手段では、切替え手段（５）が第２吹出し口（４）の開放状態、閉鎖状態を位置検出手段（８）で検出して補助加熱手段（７）の動作条件を切替えると同時に、位置検出手段（８）の動作状況を表示して運転状態を確認することが可能となる。
【００１５】
また、本発明が講じた第４の課題解決手段は、上記第１、第２、第３の課題解決手段において、位置検出手段（８）の出力によりＬＥＤ（９）を点灯する構造としたものである。
【００１６】
この手段では、切替え手段（５）が第２吹出し口（４）の開放状態、閉鎖状態を位置検出手段（８）で検出して補助加熱手段（７）の動作条件を切替えると同時に、位置検出手段（８）の動作状況をＬＥＤ（９）を点灯させて表示し運転状態を容易に確認することが可能となる。
【００１７】
また、本発明が講じた第５の課題解決手段は、上記第４の課題解決手段において、位置検出手段（８）の出力によりＬＥＤ（９）を点滅する構成としたものである。
【００１８】
この手段では、切替え手段（５）が第２吹出し口（４）の開放状態、閉鎖状態を位置検出手段（８）で検出して補助加熱手段（７）の動作条件を切替えると同時に、位置検出手段（８）の動作状況をＬＥＤ（９）を点滅させて表示し運転状態を容易に確認することが可能となる。
【００１９】
また、本発明が講じた第６の課題解決手段は、上記第１、２、３、４、５の課題解決手段において、切替え手段（５）が第２吹出し口（４）を完全に閉塞したことを位置検出手段（８）で検出する構成としたものである。
【００２０】
この手段では、切替え手段（５）が第２吹出し口（４）を完全に閉塞したことを位置検出手段（８）で検出したとき補助加熱手段（７）を停止させ、温風温度を低下させるとともに冷風と温風を完全に分離して冷風感を得ることができる。
【００２１】
また、本発明が講じた第７の課題解決手段は、上記第１、第２、第３、第４、第５、第６の課題解決手段において、切替え手段（５）が第２吹出し口（４）を完全に閉塞したことを位置検出手段（８）で検出したとき、冷風感を出すために、点灯または点滅するＬＥＤ（９）を青色または緑色とする構成としたものである。
【００２２】
この手段では、切替え手段（５）が第２吹出し口（４）を完全に閉塞したことを位置検出手段（８）で検出したとき補助加熱手段（７）を停止させ、温風温度を低下させるとともに冷風と温風を完全に分離し、ＬＥＤ（９）を青色または緑色に点灯または点滅させることで体感だけでなく視覚でも冷風感を得ることができる。
【００２３】
また、本発明が講じた第８の課題解決手段は、上記第１、第２、第３、第４、第５、第６、第７の課題解決手段において、切替え手段（５）が第２吹出し口（４）を閉塞していないことを位置検出手段（８）で検出したとき、温風感を出すために、点灯または点滅するＬＥＤ（１０）を赤色または黄色とする構成としたものである。
【００２４】
この手段では、切替え手段（５）が第２吹出し口（４）を閉塞していないことを位置検出手段（８）で検出したとき補助加熱手段（７）を運転して温風温度を上げ、ＬＥＤ（１０）を赤色または黄色に点灯または点滅させることで体感だけでなく視覚でも温風感を得ることができる。
【発明の効果】
【００２５】
本願発明は、かかる構成とすることにより以下に記載されるような効果を奏するものである。
【００２６】
（イ）本願の第１の発明にかかる除湿装置によれば、切替え手段（５）によって第２吹出し口（４）を開放した場合、吸熱器（１０５）を通過して温湿度の低下した第１送風手段（１）の吹出し空気と、放熱器（１０３）を通過して温度の上昇した第２送風手段（２）の吹出し空気とが、それぞれ第１吹出し口（３）と第２吹出し口（４）から混合されて吹出すこととなる。また、切替え手段（５）によって第２吹出し口（４）を閉塞した場合、放熱器（１０３）を通過して温度の上昇した第２送風手段（２）の吹出し空気を第３吹出し口（１８）へと流通させることにより、吸熱器（１０５）を通過して温湿度の低下したメイン送風ファン（１）の吹出し空気と分離されて吹出すこととなる。これにより、温風と冷風の混合あるいは分離を選択でき、切替え手段（５）の切替状況を位置検出手段（８）で検出して補助加熱手段（７）の動作条件の切替が選択でき、切替え手段（５）の操作だけで冷風、温風の分離と混合を効率良く行うことができる。
【００２７】
（ロ）本願の第２の発明にかかる除湿装置によれば、切替え手段（５）の切替状況を位置検出手段（８）で検出して補助加熱手段（７）の出力の増加、減少、または停止の切替が選択でき、切替え手段（５）の操作だけで冷風、温風の分離と混合を効率良く行うことができる。
【００２８】
（ハ）本願の第３の発明にかかる除湿装置によれば、切替え手段（５）が第２吹出し口（４）の開放状態、閉鎖状態を位置検出手段（８）で検出して補助加熱手段（７）の動作条件を切替えると同時に、位置検出手段（８）の動作状況を表示して運転状態を確認することができる。
【００２９】
（ニ）本願の第４の発明にかかる除湿装置によれば、切替え手段（５）が第２吹出し口（４）の開放状態、閉鎖状態を位置検出手段（８）で検出して補助加熱手段（７）の動作条件を切替えると同時に、位置検出手段（８）の動作状況をＬＥＤ（９）を点灯させて表示し運転状態を容易に確認することができる。
【００３０】
（ホ）本願の第５の発明にかかる除湿装置によれば、切替え手段（５）が第２吹出し口（４）の開放状態、閉鎖状態を位置検出手段（８）で検出して補助加熱手段（７）の動作条件を切替えると同時に、位置検出手段（８）の動作状況をＬＥＤ（９）を点滅させて表示し運転状態を容易に確認することができる。
【００３１】
（ヘ）本願の第６の発明にかかる除湿装置によれば、切替え手段（５）が第２吹出し口（４）を完全に閉塞したことを位置検出手段（８）で検出したとき補助加熱手段（７）を停止させ、温風温度を低下させるとともに冷風と温風を完全に分離して冷風感を得ることができる。
【００３２】
（ト）本願の第７の発明にかかる除湿装置によれば、切替え手段（５）が第２吹出し口（４）を完全に閉塞したことを位置検出手段（８）で検出したとき補助加熱手段（７）を停止させ、温風温度を低下させるとともに冷風と温風を完全に分離し、ＬＥＤ（９）を青色または緑色に点灯または点滅させることで体感だけでなく視覚でも冷風感を得ることができる。
【００３３】
（チ）本願の第８の発明にかかる除湿装置によれば、切替え手段（５）が第２吹出し口（４）を閉塞していないことを位置検出手段（８）で検出したとき補助加熱手段（７）を運転して温風温度を上げ、ＬＥＤ（１０）を赤色または黄色に点灯または点滅させることで体感だけでなく視覚でも温風感を得ることができる。
【発明を実施するための最良の形態】
【００３４】
以下、本発明の実施の形態について図面を参照しながら説明する。なお、従来の例と同一の構成要素については同一の符号を用い、詳細な説明は省略する。
【００３５】
（実施の形態１）
図１は、本発明の実施の形態１にかかる除湿装置の概略構成を示した図である。
【００３６】
図１に示すように、除湿装置の本体１０１内に、圧縮機１０２、放熱器１０３、膨張機構１０４、吸熱器１０５を配管接続した冷媒回路１０６と、供給空気から吸湿する吸湿部１２０および供給空気に放湿する放湿部１２１を有する吸放湿手段１１９と補助加熱手段７を設け、冷媒回路１０６内に冷媒１１７を充填している。また、本体１０１には吸込口１１２と吹出口１１３を開口し、第１送風装置１と第２送風装置２の運転によって、吸込口１１２から除湿対象空気１１６と加熱対象空気１１とパージ空気１２を本体１０１内に供給する構成としている。そして、本体１０１内に供給された除湿対象空気１１６が、第１送風装置１によって放熱器１０３、放湿部１２１、吸熱器１０５、吸湿部１２０に順に供給されて吹出口１１３より本体１０１外部に流出し、また、加熱対象空気１１が、第２送風装置２によって、除湿対象空気１１６と同一方向から放熱器１０３、補助加熱手段７に供給されて吹出口１１３より本体１０１外部に流出し、また、パージ空気１２が、第２送風装置２によって、除湿対象空気１１６と同一方向から吸湿部１２０に供給されて吹出口１１３より本体１０１外部に流出するように風路を形成している。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される除湿対象空気１１６および加熱対象空気１１に対して放熱するとともに、吸熱器１０５に供給される除湿対象空気１１６から吸熱することによってヒートポンプ１１８を作動させる構成となっている。
【００３７】
図２は、図１に示す概略構成を実現した除湿装置の概略展開図である。本体１０１はケース上１３、ケース下１４、ケース左１５、ケース右１６、ケース前１７、ケース後１８の６部品によって形成し、ケース上１３には吹出口１１３と装置の操作を行う操作パネル１９と取っ手２０が設けられている。ケース後１８には吸込口１１２を設け、その吸込口１１２にはフィルター１３が設けられている。ケース下１４の上には水受け部２２と圧縮機１０２とタンク１２２が配置され水受け部２２の上に放熱器１０３、膨張機構１０４、吸熱器１０５、吸放湿手段１１９、第１送風装置１、第２送風装置２、吸熱器カバー２３が構成される構造となっている。
【００３８】
図３は、図２に示す除湿装置の概略展開図に対して、吹出し部の構造を詳細に展開した図である。吹出し口は第１吹出し口３、第２吹出し口４、第３吹出し口６から形成され、第２吹出し口４と第３吹出し口６は、切替え手段５によって風路が切替えられるように構成されている。第１送風装置１の吹出し空気は、そのまま第１吹出し口３より吹出し、第２送風装置２の吹出し空気は、切替え手段５が第２吹出し口４を開放している場合は第２吹出し口４から、また、切替え手段５が第２吹出し口４を閉塞している場合は、第３吹出し口６から吹出す。すなわち、切替え手段５が第２吹出し口４を開放している場合は、第１送風装置１と第２送風装置２の吹出し空気が、それぞれ、第１吹出し口３と第２吹出し口４から混合されて本体１０１の前面より吹出し、切替え手段５が第２吹出し口４を閉塞している場合は、第１送風装置１の吹出し空気は第１吹出し口３から本体１０１の前面へ、また、第２送風装置２の吹出し空気は第３吹出し口６より本体１０１の背面より分離して吹出す構造となっている。
【００３９】
図４は図３に示した切替え手段５を本体下方より斜視した概略図である。切替え手段５は第２吹出し口４に設けられた２本のレール２４に摺動可能に架橋されており、第２吹出し口４を開放または閉塞することによって、第２送風装置２の吹出し空気の吹出し口を切替えることが可能となっている。また、切替え手段５には磁石２５が取り付けられており、固定側に設けられた金属板２６と固着することにより、切替え手段５を確実に固定することができる。また、切替え手段５にはスライドスイッチ２７が取り付けられており、補助加熱手段７の出力を調整でき、切替え手段５の横に冷風、温風の度合いの表示とＬＥＤを設けた構成となっている。
【００４０】
図５〜図７に示すように切替え手段５の摺動部分には、摺動方向と平行に凸部２８と凹部２９が設けられており、常に嵌合しながら摺動している。また、固定側には板バネ３０が取り付けられ、板バネ３０は切替え手段５を固定したい部分３１よりも摺動させたい部分３２の方が切替え手段５側に膨らんで形成されており、切替え手段５のバネ押し部３３が、板バネ３０を押しながら摺動する。また、電装基板３４にリミットスイッチを用いた位置検出手段８が取り付けられており、切替え手段５が位置検出手段８を作動させることで、切替え手段５の位置を検出する構造となっている。
【００４１】
なお本説明では位置検出手段８をリミットスイッチとしたが、磁石とホールＩＣ、磁石とリードスイッチとしても同じ効果が得られる。
【００４２】
以上、説明した構成および動作により、本実施形態の除湿装置は以下の効果を奏するものである。
【００４３】
切替え手段５によって第２吹出し口４を開放した場合、吸熱器１０５を通過して温湿度の低下した第１送風装置１の吹出し空気と、放熱器１０３を通過して温度の上昇した第２送風装置２の吹出し空気とが、それぞれ第１吹出し口３と第２吹出し口４から混合されて吹出すこととなる。また、切替え手段５によって第２吹出し口４を閉塞した場合、放熱器１０３を通過して温度の上昇した第２送風装置２の吹出し空気を第３吹出し口６へと流通させることにより、吸熱器１０５を通過して温湿度の低下した第１送風装置１の吹出し空気と分離されて吹出すこととなる。これにより、使用者が任意に切替え手段５を作動させ、位置検出手段８によって補助加熱手段７の出力を切替えることよって、温風と冷風の混合または分離の選択をすることができる。
【００４４】
また、使用者が任意に切替え手段５を作動させ、位置検出手段８によって補助加熱手段７の出力を減少または停止させることよって、冷風感を増すことができる。
【００４５】
また、使用者が任意に切替え手段５を作動させ、位置検出手段８によって補助加熱装置７の出力を切替えることよって、温風と冷風の混合または分離の選択をすることができるとともに表示によって視覚的に運転状況を把握できる。
【００４６】
また、使用者が任意に切替え手段５を作動させ、位置検出手段８によって補助加熱手段７の出力を切替えることよって、温風と冷風の混合または分離の選択をすることができるとともに表示とＬＥＤの点灯によって視覚的に運転状況を把握できる。
【００４７】
また、使用者が任意に切替え手段５を作動させ、位置検出手段８によって補助加熱手段７の出力を切替えることよって、温風と冷風の混合または分離の選択をすることができるとともに表示とＬＥＤの点滅によって視覚的に運転状況を把握できる。
【００４８】
また、使用者が切替え手段５を作動させ、完全に第２吹出し口４が開放、閉塞したとき位置検出手段８によって補助加熱手段７の出力を通電、停止させることよって、温風と冷風の混合または分離の選択をすることができる。
【００４９】
また、使用者が切替え手段５を作動させ、完全に第２吹出し口４が開放、閉塞したとき位置検出手段８によって補助加熱手段７の出力を通電、停止させることよって、温風と冷風の混合または分離の選択をすることがで、完全に第２吹出し口４が閉塞したときＬＥＤを青色または緑色に点灯または点滅させることで体感だけでなく視覚的にも冷風感が得られる。
【００５０】
また、使用者が切替え手段５を作動させ、完全に第２吹出し口４が開放、閉塞したとき位置検出手段８によって補助加熱手段７の出力を通電、停止させることよって、温風と冷風の混合または分離の選択をすることがで、完全に第２吹出し口４が開放したときＬＥＤを赤色または黄色に点灯または点滅させることで体感だけでなく視覚的にも温風感が得られる。
【産業上の利用可能性】
【００５１】
以上のように本発明にかかる除湿装置は、循環経路１１１を設けない構成とし、吸熱器１０５を通過して温湿度が低下した空気を分離して室内に吹出すことが可能であり、吹出し口から冷風感を得ることが所望される用途に適している。
【図面の簡単な説明】
【００５２】
【図１】本発明の実施形態１にかかる除湿装置の概略断面図
【図２】同分解斜視図
【図３】同吹出し部の分解斜視図
【図４】同切替え手段の下方からの詳細斜視図
【図５】同切替え手段の上方からの要部斜視図
【図６】同切替え手段の横断面図
【図７】同切替え手段の縦断面図
【図８】従来の除湿装置の概略構成を示した図
【符号の説明】
【００５３】
１      第１送風手段
２      第２送風手段
３      第１吹出し口
４      第２吹出し口
５      切替え手段
６      第３吹出し口
７      補助加熱手段
８      位置検出手段
９      ＬＥＤ
１０    ＬＥＤ
１０２  圧縮機
１０３  放熱器
１０４  膨張機構
１０５  吸熱器
１１６  除湿対象空気
１１７  冷媒
１１８  ヒートポンプ
１１９  吸放湿手段
１２０  吸湿部
１２１  放湿部
【図１】
2006192342.tif 000003
【図２】
2006192342.tif 000004
【図３】
2006192342.tif 000005
【図４】
2006192342.tif 000006
【図５】
2006192342.tif 000007
【図６】
2006192342.tif 000008
【図７】
2006192342.tif 000009
【図８】
2006192342.tif 000010